(57)【要約】【課題】基板と枠材とで形成される凹所に吸音材を充填し、その上に通気性シートを均一に伸張して枠材に固定して吸音性に優れた吸音パネルを提供する。【解決手段】基板１の周囲に枠材２を固定し、該基板１と枠材２とによって形成される凹所内に吸音材３を充填し、該吸音材３の表面を覆い塞ぐ通気性シート４の周縁４１を枠材２に固定してなる吸音パネルＡであって、上記枠材２の外周部には凹実部５が形成されるとともに、上記通気性シート４の周縁４１に略コ字形の嵌入凸部６ａを有する止め部材６を折曲自在に取着し、上記止め部材６の嵌入凸部６ａを凹実部５に嵌合させて上記通気性シート４の周縁４１を枠材２に固定してなる吸音パネルＡ。【選択図】図１
2009275457.tif 000002
【特許請求の範囲】
【請求項１】
基板の周囲に枠材を固定し、該基板と枠材とによって形成される凹所内に吸音材を充填し、該吸音材の表面を覆い塞ぐ通気性シートの周縁を枠材に固定してなる吸音パネルであって、上記枠材の外周部には凹実部が形成されるとともに、上記通気性シートの周縁に略コ字形の嵌入凸部を有する止め部材を折曲自在に取着し、上記止め部材の嵌入凸部を凹実部に嵌合させて上記通気性シートの周縁を枠材に固定してなる吸音パネル。
【請求項２】
上記通気性シートの周縁に取着される止め部材が一端で結合され、他端は開閉自在な自由端である上側片と下側片とからなり、該下側片には凹溝が形成され、上側片には上記凹溝に嵌合する凸条が設けられ、上記上側片と下側片とにより通気性シートの周縁を挟持したとき、上記凸条が凹溝に嵌合することにより上記止め部材の嵌入凸部を形成した請求項１に記載の吸音パネル。
【請求項３】
上記止め部材は弾性を有する合成樹脂から一体的に成形され、上側片と下側片とを一端で連結する連結部と上記嵌入凸部との間に、凹実部を構成する枠材の下部に被着する係止部を形成した請求項２に記載の吸音パネル。
【請求項４】
上記上側片に下向きに凸条を設けるとともに、該凸条の嵌入角部を面取りした請求項２に記載の吸音パネル。
【発明の詳細な説明】
【技術分野】
【０００１】
本願発明は、吸音パネルに関し、一般家庭やホール、会館、店舗等の建物の内部に施工される吸音パネルに関するものである。
【背景技術】
【０００２】
従来、上記した建築構造物の室内での音響効果を高めるため、壁面や天井面等に吸音パネルを取り付けることが行われている。例えば、ＣＤやＤＶＤを再生するとき、壁面や天井面に吸音パネルを取り付け、音の反射を防いで原音に忠実に音を再生させ、臨場感に溢れた音楽を楽しむ音楽愛好家も増えている。
【０００３】
一方、近年マンション等集合住宅が増えるとともに、居住者間の騒音に関する問題を巡ってトラブルも多くなり、そこで、生活騒音を防ぐため、あるいはピアノの音が外へ洩れて苦情が出ることのないよう、室内の壁面や天井面等に吸音パネルを取り付けることも行われている。
【０００４】
例えば、特開平９−２０３１３８号公報には、基板の周縁に枠材が取付けられた第１のパネル体と、表面材の裏面に吸音材が取付けられた第２のパネル体とで構成され、上記第１のパネル体と第２のパネル体とを重ね合わせて取り付けられる吸音パネルが開示されている。すなわち、上記特許文献の図１に示されるように、第１のパネル体の枠材を前方に向けた状態で基板を建物の柱材の前面に取着し、第２のパネル体の吸音材を上記枠材間に嵌め込んだ状態で第２のパネル体の表面材の周縁を上記枠材に取着する取付構造が示されている。
【０００５】
具体的には、第２パネルの表面材となる有孔ボードの周縁が第１パネルの基板の周縁に設けられた枠材に、上記特許文献の図７に示されるように、ボルトによって固定されている。また、上記有孔ボードとしては、多数の孔が穿設された合板が使用される例が記載されている。
【特許文献１】特開平９−２０３１３８号公報
【発明の開示】
【発明が解決しようとする課題】
【０００６】
一方、近年、上記表面材として織物等からなる通気性を有するシートが用いられることも多く、この場合、ボード状の表面材を有する吸音パネルに関する上記特許文献１記載の技術を直ちに適用できるものとはいえない。本願発明は、上記背景技術に鑑みてなしたものであり、その目的は、基板と枠材とによって形成される凹所に吸音材を充填し、その上に織物等からなるシートをたるむことなく、均一に伸張して枠材に固定し、簡単に装着できるとともに、吸音性に優れた吸音パネルを提供することを、その課題とする。
【課題を解決するための手段】
【０００７】
上記課題を解決するために、本願請求項１記載の発明に係る吸音パネルは、基板の周囲に枠材を固定し、該基板と枠材とによって形成される凹所内に吸音材を充填し、該吸音材の表面を覆い塞ぐ通気性シートの周縁を枠材に固定してなる吸音パネルであって、上記枠材の外周部には凹実部が形成されるとともに、上記通気性シートの周縁に略コ字形の嵌入凸部を有する止め部材を折曲自在に取着し、上記止め部材の嵌入凸部を凹実部に嵌合させて上記通気性シートの周縁を枠材に固定してなることを特徴としている。
【０００８】
上記基板としては、合板、中密度繊維（ＭＤＦ）、パーティクルボード等木質材料からなるものをあげることができ、基板の周囲に配設される枠材としては、例えば、幅が３０〜４０ｍｍの角材等をあげることができる。また、吸音材としては、木綿、羊毛等の天然繊維、ポリエステル等合成繊維、ロックウール、グラスウール等からなるフェルト状吸音体、ウレタンフォーム、ポリエチレンフォーム等のフォーム状吸音体があげられる。
【０００９】
通気性シートとしては、紙、木綿、不織布、羊毛、塩化ビニル樹脂、ポリエステル、レーヨン、アクリル、無機質系等の布、織物等、織り目、編み目あるいは多孔等の通気部を有する通気シートであれば、あらゆる材質のものから選択することができる。
【００１０】
本願請求項２記載の発明に係る吸音パネルは、上記請求項１記載の発明において、上記通気性シートの周縁に取着される止め部材が一端で結合され、他端は開閉自在な自由端である上側片と下側片とからなり、該下側片には凹溝が形成され、上側片には上記凹溝に嵌合する凸条が設けられ、上記上側片と下側片とにより通気性シートの周縁を挟持したとき、上記凸条が凹溝に嵌合することにより上記止め部材の嵌入凸部を形成するものであることを特徴としている。
【００１１】
本願請求項３記載の発明は、上記請求項２記載の発明において、上記止め部材が弾性を有する合成樹脂から一体的に成形され、上側片と下側片とを一端で連結する連結部と上記嵌入凸部との間に、凹実部を構成する枠材の下部に被着する係止部を形成したことを特徴としている。
【００１２】
上記、合成樹脂としては、ポリプロピレン、ポリ塩化ビニル樹脂、ポリエチレンテレフタレート樹脂、ポリスチレン樹脂、ポリエチレン樹脂、フェノール樹脂、ウレタン樹脂、ＡＢＳ樹脂、ポリカーボネート樹脂等の熱可塑性樹脂が用いられ、これらから押出成形等により一体的に成形される。
【００１３】
本願請求項４記載の発明は、上記請求項２記載の発明において、上記上側片に下向きに凸条を設けるとともに、該凸条の嵌入角部を面取りしたことを特徴としている。
【発明の効果】
【００１４】
本願請求項１記載の発明に係る吸音パネルにおいては、基板とこの基板に周設された枠材とによって形成される凹所内に吸音材を充填し、該吸音材の表面が周縁を枠材に固定された通気性シートによって覆い塞がれてなる吸音パネルであり、通気性シートに設けられた織り目、編み目あるいは多孔等の通気部から音を通し、吸音材で効率よく吸音させることができる。
【００１５】
また、上記枠材の外周部には凹実部が形成されるとともに、上記通気性シートの周縁に略コ字形の嵌入凸部を有する止め部材を折曲自在に取着し、上記止め部材の嵌入凸部を凹実部に嵌合させるのみで簡単に上記通気性シートの周縁を枠材に固定できる。その結果、従来のように、作業員が通気性シートの周縁を引っ張りながらタッカー、ステープラーで固定していたときに比べて、通気性シートを作業性よく、歪んだり、波打つことなく、張り付けることが可能となり、均一に伸張して簡単に枠材に固定することができる。
【００１６】
本願請求項２記載の発明に係る吸音パネルにおいては、特に、上記通気性シートの周縁に取着される止め部材が一端で結合され他端は自由端である上側片と下側片とからなり、上記上側片に凸設された下向きの凸条と上記凸条が嵌合する凹溝を有する下側片とにより通気性シートの周縁を挟持したとき、上記凸条が凹溝に嵌合し、両者が共同して上記止め部材の略コ字形の嵌入凸部を形成することができる。
【００１７】
本願請求項３記載の発明に係る吸音パネルにおいては、特に、上記止め部材が弾性を有する合成樹脂から一体的に成形されているため、上記嵌入凸部が凹実部に弾性的に嵌入し、通気性シートの張り替え等の際は、弾性嵌入を解除することにより、簡単に止め部材を凹実部から取り外し、新しい通気性シートを装着することができる。このようにして、吸音パネルの保守を容易に行うことができる。
【００１８】
さらに、上側片と下側片とを一端で連結する連結部と上記嵌入凸部との間に、凹実部を構成する枠材の下部に被着する係止部を形成することにより、上記略コ字形の嵌入凸部が通気性シートの周縁を挟着するとともに、係止部が枠材の裏面にしっかりと係止してさらに確実に通気性シートを張設することができる。
【００１９】
本願請求項４記載の発明に係る吸音パネルにおいては、上記上側片に下向きに凸条を設け、該凸条の嵌入角部を傾斜面となるよう面取しているため、凹溝の入り口角部と突き合うことなく、通気性シートの周縁を押さえて滑らかに凹溝に弾性嵌入することができる。そして、上記凸条と凹溝とは通気性シートの周縁をしっかりと挟持して止め部材の略コ字形の嵌入凸部を形成することができる。
【発明を実施するための最良の形態】
【００２０】
以下、本願発明にかかる吸音パネルの実施形態について、図面を参照して詳細に説明する。図１は、上記吸音パネルＡの概略構成を分解して示す分解説明図である。図１に示すように、吸音パネルＡは、基板１と基板１の周囲に固定される枠材２と上記基板１と枠材２とによって形成される凹所内に充填された吸音材３と上記吸音材３の表面を覆い塞ぐ通気性シート４とからなり、通気性シート４は図１に○で囲んで示すように、織り目、編み目あるいは多孔等の通気部４２を有している。また、図１には、上記通気性シート４の周縁４１に取着される止め部材６も共に示されている。
【００２１】
すなわち、図１に示すように、ポリプロピレン等弾性を有する合成樹脂から形成された止め部材６は、連結部６３である一端で結合され他端は自由端とされた上側片６１と下側片６２とからなり、上記連結部６３を中心にして弾性的に開閉自在とされている。また、上側片６１には凸条６１１が下向きに凸設され、下側片６２には凹溝６２１が形成されるとともに、上記上側片６１と下側片６２との自由端で通気性シート４の周縁４１を挟持したとき、凸条６１１が上記凹溝６２１に嵌合するとともに、両者が共同して止め部材６の略コの字形の嵌入凸部６ａを構成する。
【００２２】
図２（イ）は、合成繊維からなる布製または織物製の通気性材料から形成された通気性シート４の周縁４１に上記止め部材６を取着する方法を示す説明図である。まず、図２（イ）に示されるように、上記周縁４１を止め部材６の上側片６１と下側片６２との間に配設する。ここで、凸条６１１の嵌入角部は面取りされて面取り部６１２が設けられている。
【００２３】
ついで、図２（ロ）に示すように、上記通気性シート４の周縁４１を止め部材６の上側片６１と下側片６２とによって挟み込むように押さえ、凸条６１１を周縁４１と共に下側片６２の凹溝６２１に挟着する。このとき、凸条６１１の嵌入角部は面取り部６１２とされているため、凹溝６２１の入り口角部と突き合うことなく、通気性シート４の周縁４１を押さえて滑らかに凹溝６２１に嵌入することができる。
【００２４】
また、上記通気性シート４は布製または織物製であるため、上記凹溝６２１の形に応じて変形し、最後に図２（ハ）に示すように、通気性シート４の周縁４１を巻き込んで挟持するとともに、凸条６１１は凹溝６２１に嵌入して両者で略コ字形の嵌入凸部６ａを形成する。
【００２５】
上記上側片６１と下側片６２とは、通気性シート４の周縁４１を挟んで接着剤により接着固定してもよく、あるいは、加熱、加圧下に熱溶着してもよい。さらに、上側片６１の自由端に係止部を設け、下側片６２の自由端に非係止部を設けて弾性的に着脱自在に係合するようにしてもよい。いずれも、施工条件、施工材料等によって適宜、選択して用いればよい。
【００２６】
本願発明にかかる吸音パネルＡの実施形態においては、上記のようにして周縁４１に止め部材６を取着された通気性シート４は吸音材３を覆い塞ぐように、上枠材２に固定される。すなわち、図３に示すように、布製または織物製で折曲自在である通気性シート４は、吸音材３を覆い塞ぐように、枠材２の外側角部、すなわち、上側片６１と下側片６２の自由端と通気性シート４との継ぎ目部近傍で折曲される。
【００２７】
ついで、通気性シート４の周縁４１を挟持した凸条６１１と凹溝６２１とによって略コ字形に形成された嵌入凸部６ａは、左右の枠材２および前後の枠材２の外周部に設けられた凹実部５に弾性的に嵌入される。図４は、上記のようにして
通気性シート４が止め部材６によってその周縁４１を枠材２に固定されてなる吸音パネルＡを示す横断面図である。
【００２８】
通気性シート４は、必要に応じて接着またはステープル、フィニッシュネイル等の釘を用いて固定される。図４には、さらに、ステープル７を用いて周縁４１を枠材２に釘固定した例を示す。このようにして、通気性シート４は、たるむことなく張設され、外方からの音は通気性シート４の通気部４２から入って吸音材３で吸音され、吸音パネルＡはその機能を効果的に発揮する。
【００２９】
一方、嵌入凸部６ａを有する止め部材６は、弾性を有する樹脂から一体的に形成されているため、凹実部５に弾性的に嵌入し、通気性シート４の張り替え等の際は、弾性嵌入を解除することにより、止め部材６を枠材２から着脱自在に取り外すことが可能であり、吸音パネルＡの保守を簡単に行うことができる。
【００３０】
図５は、上記した実施形態の改良例を示す横断面図である。図５に示すように、上記改良例においては、止め部材６の連結部６３を伸延して係止部６４を形成し、該係止部６を枠材２の下部に被着している。この係止部６４は、枠材２の裏面側に係合するとともに、枠材２の長手方向に延設されている。このようにすることによって、上記嵌入凸部６ａは通気性シート４の周縁４１を挟着するとともに、係止部６４が枠材２の裏面にしっかりと係止し、さらに確実に通気性シート４を張設することができる。
【００３１】
以上述べたように、本願発明を実施することにより、表面材として織物等からなる通気性シート４を用いて吸音材３を覆い塞ぐように、たるむことなく、均一に伸張して枠材２に固定することが可能となる。そして、吸音性に優れた吸音パネルＡを提供することができる。
【図面の簡単な説明】
【００３２】
【図１】本願発明に係る吸音パネルの概略構成を分解して示す分解説明図。
【図２】（イ）、（ロ）、（ハ）  本願発明に係る通気性シートの周縁に止め部材を取着する方法を示す説明図。
【図３】本願発明に係る吸音パネルにおいて、吸音材を覆い塞ぐように通気性シートを折曲する状態を示す横断面図。
【図４】本願発明に係る通気性シートが止め部材によってその周縁を枠材に固定されてなる吸音パネルを示す横断面図。
【図５】本願発明にかかる吸音パネルの実施形態の改良例を示す横断面図。
【符号の説明】
【００３３】
Ａ      本願発明に係る吸音パネル
１      基板
２      枠材
３      吸音材
４      通気性シート
４１    周縁
４２    通気部
５      凹実部
６      止め部材
６ａ    嵌入凸部
６１    上側片
６１１  凸条
６１２  面取り部
６２    下側片
６２１  凹溝
６３    連結部
６４    係止部
７      ステープル
【図１】
2009275457.tif 000003
【図２】
2009275457.tif 000004
【図３】
2009275457.tif 000005
【図４】
2009275457.tif 000006
【図５】
2009275457.tif 000007